(57)【要約】
【課題】  重症急性呼吸器症候群（ＳＡＲＳ）などのウイルスや病原菌などによる感染の防止と、大気中の浮遊物質を呼吸しなくするため、紫外線によりウイルスや病原菌を死滅させ分解させ、かつ吸着可能とした顔面着用のマスクを提供する。
【解決手段】  有機物分解作用を有する光触媒物質３を焼成付着したガラス繊維ガーゼ２からなる外層４と活性炭、特に竹炭、のセラミックス焼成物５を含浸塗着した不織布６からなる中間層７と綿ガーゼ８からなる内層９から形成の３層構造の重合層１０からなる鼻および口を覆うマスク本体１１と、マスク本体１１の両側部１２に耳または頭部へ係止可能な係止紐１３を挿着してなる光触媒機能および吸着機能を有する顔面装着用マスク１。
【選択図】        図１
0003100929.tif 000002
【実用新案登録請求の範囲】
【請求項１】
有機物分解作用を有する光触媒物質３を焼成付着したガラス繊維ガーゼ２からなる外層４と活性炭のセラミックス焼成物５を含浸塗着した不織布６からなる中間層７と綿ガーゼ８からなる内層９から形成の３層構造の重合層１０からなる鼻および口を覆うマスク本体１１と、マスク本体１１の両側部１２に耳または頭部へ係止可能な係止紐１３を挿着して有することを特徴とする光触媒機能および吸着機能を有する顔面装着用マスク１。
【請求項２】
活性炭は竹炭であることを特徴とする請求項１記載の光触媒機能および吸着機能を有する顔面装着用マスク１。
【考案の詳細な説明】
【技術分野】
【０００１】
本考案は、生活空間の大気汚染や重症急性呼吸器症候群（ＳＡＲＳ）などのウイルスや病原菌の汚染に対処するため顔面に装着して鼻や口を覆うマスクに関し、特に大気汚染の原因である硫黄酸化物や浮遊懸濁物質あるいは大気中に浮遊する種々の病原菌、特にＳＡＲＳなどのウイルスや病原菌に作用して分解すると共にマスク内に吸着することにより、無菌で清浄な空気のみを呼吸可能とする顔面装着用マスクに関する。
【背景技術】
【０００２】
従来の顔面に装着して鼻や口を覆うマスクは通常は木綿のガーゼや不織布などの目の細かい薄い布地を折り重ねた複数枚をマスク本体とし、さらに取替用のガーゼを内側に装入して、これを耳または頭部に係止するための細い係止紐をマスク本体の左右側部に取付けて形成している。これらの顔面装着用のマスクは風邪などの感染症を引いている人が、呼気や咳などで周囲に感染源をまき散らすことのないようにあるいは冷たい空気を直接呼吸することのないように着用したり、もしくは健康な人が大気が汚染されているときあるいは感染症が流行しているときに、大気の汚染物質を吸い込まなくするためにあるいは感染症に感染することを防止するために着用する。すなわち、顔に着用するマスクは自己の健康を維持管理するためにあるいは他人に感染症を移すことのないようにするために使用する。
【０００３】
このような顔に着用するマスクは、通常は上記したように素材が木綿などからなるガーゼや不織布などの消毒済の布地を鼻や口を覆う大きさに折り重ねて長方形のマスク本体に形成し、このマスク本体の両側部に耳や後頭部に係止するための細い係止紐をそれぞれ挿通して有する。このようなマスクは確実に鼻や口を覆うことができるように、マスク本体の横方向に複数段に重なる襞を設けていたり、また鼻や口に直接に接触するマスクの内側に消毒済ガーゼを取替用に別体として配置するものなどがある。
【０００４】
一方、考案者らは、二酸化チタン層を表面に焼成により形成した有機物分解光触媒作用をするガラス繊維からなる織布を開発している（特許文献１あるいは特許文献２参照。）。
【０００５】
【特許文献１】特開２０００−１７６２４６号公報
【特許文献２】特開２０００−１９９１７３号公報
【考案の開示】
【考案が解決しようとする課題】
【０００６】
本考案が解決しようとする課題は、大気汚染による呼吸器障害や、風邪などの感染症や特に重症急性呼吸器症候群（ＳＡＲＳ）などのウイルスや病原菌などによる感染を防止するために、顔面に着用して鼻や口を覆うマスクを改良することで、大気中の浮遊物質を吸着して呼気に含有されないようにし、さらに自然光や紫外線ランプからの紫外線を受けてウイルスや病原菌を死滅させかつ分解することのできる顔面に装着するための家庭用のマスクあるいは医療用のマスクを提供することである。
【課題を解決するための手段】
【０００７】
上記の課題を解決するための本考案の手段は、請求項１の考案では、有機物分解作用を有する光触媒物質３を焼成付着したガラス繊維ガーゼ２からなる外層４と活性炭５を含有するセラミックス焼成物を含浸塗着した不織布６からなる中間層７と綿ガーゼ８からなる内層９から形成の３層構造の重合体１０からなる鼻および口を覆うマスク本体１１と、マスク本体１１の両側部１２に耳または頭部へ係止可能な係止紐１３を挿着して有することを特徴とする光触媒機能および吸着機能を有する顔面装着用マスク１である。
【０００８】
請求項２の考案では、活性炭５は竹炭であることを特徴とする請求項１記載の光触媒機能および吸着機能を有する顔面装着用マスク１である。
【考案の効果】
【０００９】
本考案の顔面装着用のマスクは、表面に二酸化チタンなどの光触媒物質を焼成付着した無機質のガラス繊維ガーゼの最外層と、この最外層の内側部分に白炭状に焼成した木炭等の活性炭、好ましくは竹炭の活性炭の粉末を含有するセラミック粉末を無機質バインダーで分散保持した不織布の中間層と、さらに木綿ガーゼからなる内層とからなる３層構造の重合層をマスク本体とした。
【００１０】
従って、従来のマスクのように単に大気中の浮遊物質をできるだけ透過させなくしたり、あるいは直接的にウイルスや病原菌などが経口で体内に入らなくするのみでなく、本考案のマスクを顔面に装着することで、大気中の浮遊物質やウイルスその他の細菌、特にＳＡＲＳなどのウイルスなどの有機物をマスクのガラス繊維ガーゼの外層に焼成した二酸化チタンなどの光触媒物質と接触させ、日光や紫外線ランプの紫外線により分解させ、かつ、死滅させることで、体内への侵入を防ぐ。さらに光触媒物質と接触することなく外層を通過した細菌やウイルスあるいは大気中の浮遊物質を中間層の木炭、好ましくは竹炭からなる白炭などの活性炭の粉末により吸着して除去する。またウイルスや細菌などを有する保菌者が本考案のマスクを装着することで、これらの細菌やウイルスを大気中に放散することが防止できるなど本考案のマスクは従来のマスクにない優れた効果を奏する。
【００１１】
本考案のマスクは、特に、光触媒を付着したガラス繊維が有機質や細菌を接触分解するが、上述したように、仮に微粒子の細菌が光触媒と無接触で通過した場合でも、吸着性に優れた竹炭などの白炭からなる活性炭を付着した不織布のフィルターによりこれらの通過物を吸着して取り除くことができる。竹炭フィルターに吸着された細菌は息を吐くことで再度光触媒を付着したガラス繊維側に送りこまれて接触分解により死滅させられる。本考案のマスクでは、活性炭である竹炭フィルターのバインダーは無機質のものを使用しているので、フィルター自体は光触媒で分解されることはなく、光触媒の分解力と竹炭などの活性炭の吸着力との相乗効果が期待できる。
【考案を実施するための最良の形態】
【００１２】
本考案を実施するための最良の形態を図面を参照して説明する。図１は本考案のマスク１を示す図である。図２はマスク本体１１の三層構造を模式的に示す図である。
【００１３】
本発明のマスク１は、その外層４が有機物分解作用を有する二酸化チタンなどの光触媒物質３を焼成付着したガラス繊維ガーゼ２からなっている。この光触媒物質のガラス繊維の外周面への形成は、ガラス繊維をチタニアゾル中に浸漬して引き上げて自然乾燥してチタニアゲルとし、これを処理温度４５０〜６５０℃で高温炉中で加熱焼成し、二酸化チタン層を付着形成したものである。
【００１４】
一方、マスク本体１の中間層７は活性炭５を含有するセラミックス焼成物を含浸塗着した不織布６からなっている。この中間層７において活性炭である木炭、特に竹炭の粉末を含有する中間層７、特に竹炭からなる竹炭フィルターについて説明する。この中間層７の竹炭フィルターは、先ず、竹炭粉末と陶土などのセラミック粉末を一定の割合で混ぜ、水を加えて混練、成形、乾燥し、これを９００℃前後で焼成し、平均径３０μの粒子に粉砕して竹炭セラミック焼成物粉末とする。次いで全体量２０ｋｇ当たりにこの竹炭セラミック焼成物５ｋｇの粉末を混成し、これを無機質のバインダーにより液状とし、これをポリエステルの不織布に１平方メートル当たり約５０〜６０ｇを含浸させて熱風で乾燥して中間層７の竹炭フィルターとする。この結果、竹炭フィルターは上記のように無機質のバインダーによりポリエステル繊維が被覆されていることとなるので、このポリエステルの不織布自体は光触媒により分解されることはない。白炭などの木炭においてもその中間層７の製造方法は同様にする。
【００１５】
さらに、マスク１の三層構造の重合層１０の最も内側の層は、綿ガーゼ８から形成の内層９から形成している。
【００１６】
図１に示すように、マスク１の三層構造の重合層１０からなる鼻および口を覆うマスク本体１１は、実際に着用可能とするため、マスク本体１１の左右の両側部１２に着用者の耳または頭部へ係止するための慣用の係止紐１３が挿着されている。そして着用時には、マスク本体１１の三層構造の重合層１０の内側に取替用のガーゼを当てがって着用する。
【図面の簡単な説明】
【００１７】
【図１】本考案の顔面装着用のマスクを示す斜視図である。
【図２】本考案のマスク本体の三層構造を模式的に示す図である。
【符号の説明】
【００１８】
１  マスク
２  ガラス繊維ガーゼ
３  光触媒物質
４  外層
５  セラミックス焼成物
６  不織布
７  中間層
８  綿ガーゼ
９  内装
１０  重合層
１１  マスク本体
１２  両側部
１３  係止紐
１４  取替用ガーゼ
【図１】
0003100929.tif 000003
【図２】
0003100929.tif 000004